(57)【要約】  本発明は使用者に深度の深い画像を提供することができる反射レンズモジュールに関するものであり、本発明による反射レンズモジュールは、ディスプレイ部から出力される画像を反射させて使用者に提供する反射レンズモジュールであって、前記ディスプレイ部から出力される画像を反射させ、サイズが４ｍｍ以下である少なくとも一つの反射部を含むことに技術的特徴がある。【選択図】図１
2019515358.tif 000002
【特許請求の範囲】
【請求項１】
ディスプレイ部から出力される画像を反射させて使用者に提供する反射レンズモジュールであって、
前記ディスプレイ部から出力される画像を反射させ、サイズが４ｍｍ以下である少なくとも一つの反射部を含むことを特徴とする、
反射レンズモジュール。
【請求項２】
前記少なくとも一つの反射部を固定させるフレーム部をさらに含んでなることを特徴とする、請求項１に記載の反射レンズモジュール。
【請求項３】
可視光線を透過させる透明レンズ部をさらに含み、
前記少なくとも一つの反射部が前記透明レンズ部の外部又は内部に取り付けられることを特徴とする、
請求項１に記載の反射レンズモジュール。
【請求項４】
前記少なくとも一つの反射部が前記透明レンズ部の内部に埋め込まれて取り付けられることを特徴とする、請求項３に記載の反射レンズモジュール。
【請求項５】
前記少なくとも一つの反射部が金属から形成されることを特徴とする、請求項１に記載の反射レンズモジュール。
【請求項６】
前記少なくとも一つの反射部が光学素子（Ｏｐｔｉｃａｌ  Ｅｌｅｍｅｎｔ）から形成されることを特徴とする、請求項１に記載の反射レンズモジュール。
【請求項７】
前記少なくとも一つの反射部は角部のない形態に形成されることを特徴とする、請求項１に記載の反射レンズモジュール。
【請求項８】
前記少なくとも一つの反射部が円形又は楕円形に形成されることを特徴とする、請求項１に記載の反射レンズモジュール。
【請求項９】
前記少なくとも一つの反射部の表面が曲面に形成されることを特徴とする、請求項１に記載の反射レンズモジュール。
【発明の詳細な説明】
【技術分野】
【０００１】
本発明は反射レンズモジュールに関し、より詳しくは使用者に深度の深い画像を提供することができる反射レンズモジュールに関する。
【背景技術】
【０００２】
拡張現実（Ａｕｇｍｅｔｅｄ  Ｒｅａｌｉｔｙ）とは使用者が目で見る現実世界に仮想画面（仮想世界）を重ねて見せる技術であり、現実世界に実時間で付加情報を有する仮想世界を合わせて単一映像を見せるから、初期には混合現実と呼ばれたこともある。
【０００３】
このような拡張現実はｓｅｅ−ｔｈｒｏｕｇｈ  ＨＭＤ（Ｈｅａｄ  Ｍｏｕｎｔｅｄ  Ｄｉｓｐｌａｙ）を発展させたものを始めとして研究し始めたが、仮想現実（Ｖｉｒｔｕａｌ  Ｒｅａｌｉｔｙ）とは違う意味を有する。仮想現実は使用者が仮想の環境に沒入することにするので使用者は実際の環境を見ることができないが、拡張現実は使用者が実際の環境を見ることができ、実際の環境と仮想の客体が混合された形態を現す。言い換えれば、仮想現実は現実世界を取り替えて使用者に見せるが、拡張現実は現実世界に仮想の物体を重畳することによって現実世界を補って使用者に見せる点で違いがある。
【０００４】
このような拡張現実を具現するために主にＨＭＤが用いられる。このようなＨＭＤのレンズモジュール（光学系モジュール）は大部分構造が複雑であって製作が非常に難しいという問題点があり、複雑な構造のため、レンズモジュールのサイズも大きくて重さも重くなるしかないという問題点がある。よって、ＨＭＤを使用者が着用するのに非常に不便になる。
【０００５】
従来の拡張現実を具現するためのレンズモジュールは複雑な構造を有するにもかかわらず、前記のような問題点だけではなく使用者に一様に鮮明な仮想画面を全然提供していないという問題点がある。
【０００６】
拡張現実は、前述したように、使用者が現実世界を認識するとき、仮想画面まで重畳して同時に認識するようにする技術であるが、使用者が現実視界を認識するとき（見るとき）焦点を遠くするとか近くするなど、使用者自身が願う所に焦点を置けば（焦点距離を変更すれば）仮想画面がぼんやりと見えるとか鮮明に見えることがある。言い換えれば、仮想画面を提供（反射）するレンズモジュールの焦点が決まっているから、使用者が焦点距離を変更して焦点が合う場合にだけ使用者が鮮明な仮想画面を見ることができ、焦点が合わない場合にはぼんやりした（鮮明でない）仮想画面を見ることになる。
【０００７】
このような問題点を解決するための従来技術の一つとして、‘特許文献１（ＫＲ１０−２０１５−０１１６１４２）’に焦点調節の可能なＨＭＤ用光学系モジュールが開示されている。具体的に‘特許文献１’の焦点調節の可能なＨＭＤ用光学系モジュールはディスプレイパネルから出た仮想画面を受けて内部全反射させた後、次の光学系に仮想画面を送る画面伝達レンズと、画面伝達レンズから送られた仮想画面を受け、角度を調節して仮想画面を反射させることにより、焦点を調節して次の光学系に送る調節プリズムと、調節プリズムから送られた仮想画面を反射させ、外部から入る現実画面を合わせて着用者の目に送る結合器と含む構成が開示されている。
【０００８】
このような‘特許文献１’の焦点調節の可能なＨＭＤ用光学系モジュールは焦点調節が可能ではあるが、焦点調節は、使用者が焦点を調節して自分が主に見る視野に任意の一つの焦点を合わせること（任意の一つの焦点を固定すること）を意味するものであり、前記で指摘した使用者が現実世界を見つめながら焦点距離を変更するときに鮮明でない仮想画面を獲得するという問題点を全然解決することができない。
【０００９】
また、前記のような問題点を解決するための従来技術の一つとして、‘特許文献２（ＫＲ１０−２０１３−０１２６６２３）’に拡張現実システム及び改善された焦点提供方法が開示されている。具体的に‘特許文献２’の拡張現実システム及び改善された焦点提供方法は、ソフトウェアの制御の下で現在の使用者の焦点領域を決定するためのプロセッサと、プロセッサの制御の下で現在の使用者の焦点領域内に可変焦点レンズの焦点を合わせるための焦点領域調整ユニットとを含む構成が開示されている。‘特許文献２’の拡張現実システム及び改善された焦点提供方法は物理的な方法であり、前記のような問題点を全然解決することができなく、現在の使用者の焦点領域を決定するために別途のプロセッサが必要であり、このようなプロセッサの制御のために別途のソフトウェアが必要であるため、ソフトウェア及びプロセッサの誤作動及びエラーが発生し得るという問題点があるだけではなく、別途のプロセッサ及びソフトウェアを取り付けるため、製作コストが高いという問題点がある。
【発明の概要】
【発明が解決しようとする課題】
【００１０】
本発明は上述した問題点及び必要性を解決するために案出されたもので、本発明は使用者に深度（Ｄｅｐｔｈ  ｏｆ  Ｆｉｅｌｄ）の深い画像（映像又はイメージ）を提供することができる反射レンズモジュールを提供することに目的がある。
【００１１】
前述したように、拡張現実は、その技術的特徴（現実世界と仮想画面を重畳させて使用者が認識するようにするための技術的特徴）のため、使用者にいつも鮮明な画像を認識させるために、使用者が現実世界を見つめながら焦点距離を変更するにしたがって画像の焦点距離も変更させる必要性がある。
【００１２】
このような焦点距離の問題は深度の深い画像を提供することによって解決が可能になる。深度とは任意の一画像（使用者が肉眼で獲得する画像）において焦点が合ったと認識される範囲を言う。したがって、深度が低い場合には、焦点が合ったと認識される範囲が狭く、深度が深い場合には焦点が合ったと認識される範囲が広い。
【００１３】
したがって、深度の深い画像を使用者に提供すれば、使用者が現実世界を見つめながら焦点距離を変更しても、提供された画像の焦点が合ったと認識される範囲内では鮮明な画像を獲得することができる。言い換えれば、深度が深くなれば焦点が合ったと認識される範囲が広いから（前記範囲内では焦点距離を変更しても焦点が合ったと認識されるから）使用者がどのくらい焦点距離を変更しても鮮明な画像を獲得することができることになる。
【００１４】
ここで、仮に深度が無限大に深くなれば、焦点が合ったと認識される範囲が無限大になるから、使用者が自由に焦点距離を調節してもいつでも鮮明な仮想画面を獲得することができることになる。
【課題を解決するための手段】
【００１５】
前述したような本発明の目的を達成し、後述する本発明の特徴的な効果を実現するための本発明の特徴的な構成は下記のようである。
【００１６】
本発明による反射レンズモジュールは、ディスプレイ部から出力される画像を反射させて使用者に提供する反射レンズモジュールであって、前記ディスプレイ部から出力される画像を反射させ、サイズが４ｍｍ以下である少なくとも一つの反射部を含むことができる。
【００１７】
また、前記少なくとも一つの反射部を固定させるフレーム部をさらに含んでなることができる。
【００１８】
また、可視光線を透過させる透明レンズ部をさらに含み、前記少なくとも一つの反射部が前記透明レンズ部の外部又は内部に取り付けられることができる。
【００１９】
また、前記少なくとも一つの反射部が前記透明レンズ部の内部に埋め込まれて取り付けられることができる。
【００２０】
また、前記少なくとも一つの反射部が金属から形成されることができる。
【００２１】
また、前記少なくとも一つの反射部が光学素子（Ｏｐｔｉｃａｌ  Ｅｌｅｍｅｎｔ）から形成されることができる。
【００２２】
また、前記少なくとも一つの反射部は角部のない形態に形成されることができる。
【００２３】
また、前記少なくとも一つの反射部が円形又は楕円形に形成されることができる。
【００２４】
また、前記少なくとも一つの反射部の表面が曲面に形成されることができる。
【発明の効果】
【００２５】
本発明による反射レンズモジュールは前記のような構成によって使用者に深度の深い画像を提供することができる。したがって、使用者は現実世界を見るときに焦点距離を調節しても焦点距離に関係なくいつも鮮明な画像を獲得することができる。
【００２６】
また、本発明による反射レンズモジュールは前記のような構成によって全体的な構成が非常に単純になる。したがって、製作コストが節減される効果が発生し、ＨＭＤ、メガネなどにレンズモジュールを適用することが容易になり、重さが軽くなり、体積が小さくなる効果が発生する。
【００２７】
また、本発明による反射レンズモジュールは前記のような構成によって使用者が自分の視力に関係なく鮮明な画像を獲得することができる。
【図面の簡単な説明】
【００２８】
【図１】本発明による反射レンズモジュールの構成を概略的に示した図である。
【図２】ピンホールレンズを通じて映像を見るときに鮮明な映像を見ることができる原理を説明するための図である。
【図３】本発明による反射レンズモジュールのピンホール効果を説明するための図である。
【図４】本発明による反射レンズモジュールを用いて獲得したイメージ及び従来の反射レンズモジュールを用いて獲得したイメージを比較した図である。
【図５】本発明による反射レンズモジュールを用いて獲得したイメージ及び従来の反射レンズモジュールを用いて獲得したイメージを比較した図である。
【図６】本発明による反射レンズモジュールを用いて獲得したイメージ及び従来の反射レンズモジュールを用いて獲得したイメージを比較した図である。
【発明を実施するための形態】
【００２９】
後述する本発明についての詳細な説明は、本発明を実施することができる特定の実施例を例示として示す添付図面を参照する。これらの実施例は当業者が本発明を十分に実施することができるように詳細に説明される。本発明の多様な実施例は互いに違うが互いに排他的な必要はないことを理解しなければならない。例えば、これに記載されている特定の形状、構造及び特性は一実施例に関連して本発明の思想及び範囲を逸脱しない範疇内で他の実施例に具現可能である。また、それぞれの開示された実施例の個別構成要素の位置又は配置は本発明の思想及び範囲を逸脱しない範疇内で変更可能であることを理解しなければならない。したがって、後述する詳細な説明は限定的な意味として取ろうとするものではなく、本発明の範囲は、適切に説明される限り、請求項が主張するものと均等な全ての範囲とともに添付の請求項によってのみ限定される。図面において、類似の参照符号は多くの側面で同一又は類似の機能を示す。
【００３０】
第１、第２などの序数を含む用語が多様な構成要素の説明に使われることができるが、前記構成要素は前記用語に限定されない。前記用語は一構成要素を他の構成要素と区別する目的のみで使われる。例えば、本発明の権利範囲を逸脱しない範疇内で第１構成要素は第２構成要素と名付けられることができ、同様に第２構成要素も第１構成要素と名付けられることができる。及び／又はという用語は複数の関連項目の組合せ又は複数の関連項目のいずれか項目を含む。
【００３１】
一方、本発明で使用した用語はただ特定の実施例を説明するために使用されたもので、本発明を限定しようとする意図ではない。単数の表現は文脈上明らかに他に指示しない限り、複数の表現を含む。また、本発明において、“含む”又は“有する”などの用語は明細書上に記載された特徴、数字、段階、動作、構成要素、部品又はこれらの組合せが存在することを指定しようとするものであり、一つ又はそれ以上の他の特徴、数字、段階、動作、構成要素、部品又はこれらの組合せなどの存在又は付加の可能性を予め排除しないものと理解しなければならない。
【００３２】
他に定義しない限り、技術的又は科学的な用語を含めてここで使う全ての用語は本発明が属する技術分野で通常の知識を有する者によって一般的に理解されるものと同一の意味を持っている。一般的に使われる辞書に定義されているもののような用語は関連技術の文脈上で有する意味と一致する意味を有するものと解釈されなければならなく、本発明で明らかに定義しない限り、理想的に又は過度に形式的な意味と解釈されてはいけない。
【００３３】
以下、本発明が属する技術分野で通常の知識を有する者が本発明を容易に実施することができるように、本発明の好適な実施例について添付図面を参照して詳細に説明する。
【００３４】
図１は本発明による反射レンズモジュールの構成を概略的に示した図である。図１を参照すると、本発明による反射レンズモジュールは、ディスプレイ部５０から出力される画像を反射させ、サイズが４ｍｍ以下である反射部１００を含み、必要によって透明レンズ部２００及びフレーム部（図示せず）をさらに含んでなることができる。図１は本発明の理解を助けるためのものであり、ディスプレイ部５０の位置及び反射部１００のサイズなどが実際の位置及びサイズとはちょっと違って表現されている。例えば、ディスプレイ部５０は反射部１００の側面に位置することができ、反射部１００はそのサイズが４ｍｍ以下に形成されるから、肉眼で識別するときはそのサイズが非常に小さい。ただ、本発明の理解を助けるために、反射部１００のサイズをちょっと誇張して表現しただけである。
【００３５】
ディスプレイ部５０は画像を出力する構成要素であり、本発明の構成要素に直接的に含まれないが、ディスプレイ部５０は使用者がメガネのように着用することができるフレーム部（図示せず）とともにＨＭＤのような形態に構成されることができる。ここで、画像はディスプレイ部５０が出力する全ての視覚的要素を含むもので、イメージと映像を全て含む概念である。例えば、ディスプレイ部５０が所定の動画を出力する場合、画像は動画となることができ、ディスプレイ部５０がイメージを出力する場合、画像はイメージとなることができる。このような画像は、本発明によるレンズモジュールを拡張現実に適用したとき、ディスプレイ部５０で反射される画像が仮想画面となることができる。
【００３６】
反射部１００はディスプレイ部５０から出力される画像を反射させるもので、反射された画像が使用者の目に到逹するように構成されることが好ましい。また、反射部１００はそのサイズが４ｍｍ以下に形成されることが好ましい。このような反射部１００のサイズは人の瞳孔のサイズより小さく形成させる。人の瞳孔のサイズは一般的に２〜６ｍｍであると知られている。人の瞳孔のサイズが互いに違えるので、その平均値である４ｍｍ以下であることが好ましい。
【００３７】
また、反射部１００はそのサイズが２ｍｍ以下に形成されることができる。人の瞳孔のサイズは一般的に２〜６ｍｍであると知られているので、反射部１００のサイズを２ｍｍ以下に形成すれば、いつでも人の瞳孔より小さく形成されることができる。
【００３８】
また、反射部１００の反射率は１００％となるように構成されることが好ましい。このために、反射部１００は金属から形成されることができる。例えば、アルミニウム（Ａｌ）又は銀（Ａｇ）から反射部１００が構成されることができ、その他にも多様な種類の金属、合金又は合成樹脂などを用いることもできる。
【００３９】
また、反射部１００は多様な素材の光学素子（Ｏｐｔｉｃａｌ  Ｅｌｅｍｅｎｔ）から形成されることができる。例えば、ホログラフィック光学素子（Ｈｏｌｏｇｒａｐｈｉｃ  Ｏｐｔｉｃａｌ  Ｅｌｅｍｅｎｔ）から反射部１００を形成することで、回折格子反射ができるように構成することができる。ここで、使用者が得る画像はホログラフィック形態を有することになる。また、ホログラフィック光学素子以外に、他の種類の素子を使って回折格子反射ができるように構成することもできる。
【００４０】
このような反射部１００で反射された仮想画面のサイズは瞳孔のサイズより小さいので、水晶体の形状又は厚さにかかわらず、網膜に像が正確に結ぶことができる。したがって、使用者は自分の視力に関係なく、いつも鮮明な仮想画面（反射部１００で反射された仮想画面）を獲得することができる。
【００４１】
このような特徴の反射部１００を他の側面で見ると、本発明による反射部１００はピンホール効果をもたらす要素として作用することもできる。図２はピンホールレンズを通じて映像を見る場合に鮮明な映像を見ることができる原理を説明するための図である。
【００４２】
図２（ａ）は近眼の人が裸眼で物体を見るとき、ぼんやりと見える理由を示している。近眼の場合、水晶体が厚くて焦点が網膜の前に結ぶので、物体の像が網膜の一点上に結ばなくて広がって結ぶから、物体がぼんやりと見える。図２（ａ）に基づいて説明すれば、物体から出発した光Ａが網膜にＡ１、Ａ２、Ａ３のように広がって結ぶということである。
【００４３】
図２（ｂ）は近眼の人がピンホールレンズを着用したとき、物体がより鮮明に見える理由を示している。物体から出発した光がピンホールを通過しながら制限されて網膜の比較的狭い領域に結ぶから、裸眼の場合より物体が鮮明に見える。図２（ｂ）に基づいて説明すれば、物体から出発した光Ａが網膜に比較的狭く（Ａ’）結ぶということである。このような現象のみ考慮すれば、ディスプレイ部５０から出力される仮想画面をピンホールを通過させて目に到逹させることによって従来の問題を解決することができるが、ピンホールの場合は他の問題を引き起こす。ここで、他の問題とは回折現象である。回折によってピンホールを通過した光が広がるため、鮮明な像を形成するのに制限がある。そして、ピンホール効果によって像が鮮明になる程度はピンホールが小さくなるほど大きくなり、回折もピンホールが小さくなるほど大きくなるから、ピンホールの利用に限界がある。
【００４４】
本発明でサイズの小さな（サイズが４ｍｍ以下）反射部１００を採用したことは、ピンホールのように光の幅は制限しながらも回折現象を発生させないようにするためである。図３は本発明による仮想現実具現用レンズモジュールを介して仮想画面の像が網膜に結ぶことを説明するための図である。図３の場合には、現実世界の物体で出発した光Ａが網膜にＡ’として結び、ディスプレイ部５０から出発した光Ｂが反射部１００で反射されてから網膜にＢ’として結ぶことを示している。このような図３の場合には、Ａ’とＢ’が網膜の一点上に結ぶから、目の焦点を別に合わせる必要なしに現実世界の映像と仮想映像がはっきりと見えることになる。
【００４５】
ここで、物体から出発した光Ａの像は使用者が焦点距離を調節することによって網膜に結ぶ位置が変わることができる。これは、使用者が焦点距離を調節することによって水晶体の厚さが変わるからである。しかし、ディスプレイ部５０から出発した光Ｂは使用者が焦点距離を調節して水晶体の厚さが変わってもいつも一定にＢ’として結ぶので、使用者はいつも鮮明な仮想画面を獲得することができるようになる。
【００４６】
このように、本発明による反射部１００は、そのサイズが４ｍｍ以下に形成されるので、使用者はいつも鮮明な仮想画面を獲得することができるようになる。これは使用者に提供される仮想画面の深度が非常に深いことを意味する。
【００４７】
図４〜図６は本発明による反射レンズモジュールを用いて獲得したイメージ及び従来の反射レンズモジュールを用いて獲得したイメージを比較した図である。図４〜図６の左側が本発明による反射レンズモジュールを用いて獲得したイメージであり、右側が従来の反射レンズモジュールを用いて獲得したイメージである。図４〜図６の四角形内にはディスプレイ部５０から出力された仮想画面が表示されている。
【００４８】
図４は焦点が遠く位置する場合、図５は焦点が中間に位置する場合、図６は焦点が近く位置する場合である。図４〜図６を見ると、左側と右側のいずれも焦点が遠い場合から中間に位置する場合そして近く位置する場合に変わるほど現実世界のイメージは焦点が一致する部分のみ鮮明に見え、焦点が一致しない部分ではぼんやりと見えることを確認することができる。
【００４９】
ここで、右側の従来の反射レンズモジュールを用いて獲得したイメージのうち四角形内の仮想画面は焦点が遠く位置する場合にだけ鮮明であり、焦点が近くに移動するほど四角形内の仮想画面が次第にぼんやりとすることを確認することができる。これとは違い、左側の本発明による反射レンズモジュールを用いて獲得したイメージのうち四角形内の仮想画面は遠く位置する場合、中間に位置する場合、近く位置する場合のどこでも鮮明であることを確認することができる。
【００５０】
このように、本発明による反射レンズモジュールは使用者に深度の深い仮想画面を提供することができ、これにより、使用者は現実世界を見るとき、焦点距離を調節しても焦点距離に関係なくいつも鮮明な仮想画面を獲得することができる。
【００５１】
本発明による反射部１００はサイズが２ｍｍ以下であれば前記のような結果を得ることができるが、もっと効果的になるためには、反射部１００のサイズが５０〜７００μｍであることが好ましい。
【００５２】
また、反射部１００の形態が円形に形成されることが好ましい。この際、真円形以外にも必要によって楕円形に形成されることもできる。このように、反射部１００は円形又は楕円形に形成されることが好ましいが、必要によってその形状が変形された形態を適用することができる。例えば、円筒形態を斜めに切断したときの楕円形態を有することができる。このように、数学的に定義される楕円と完全に一致しない楕円形の形状を有することもできる。
【００５３】
すなわち、本発明の反射部１００は角部を有しない形態であれば多様な形態を有することができ、前述したピンホール効果を果たすとともに回折現象を防止する目的を果たすことができる形態であれば何でも可能である。例えば、いかなる角部（Ｅｄｇｅ）も存在しない楕円形態であればピンホール効果を果たすとともに回折現象を防止することができる。
【００５４】
また、反射部１００はその表面が曲面に形成されることができる。曲面は凹んでいる形態を有することができ、必要によって膨らんでいる形態の曲面を有することもできる。
【００５５】
本発明による反射レンズモジュールは前記のような特徴の反射部１００を少なくとも一つ以上含んでなることができる。すなわち、反射部１００は一つからなることができ、必要によって二つ以上からなることができる。反射部１００が二つ以上からなる場合、それぞれの反射部１００がディスプレイ部５０からそれぞれの画像（ここで、ディスプレイ部５０は二つ以上からなることもできる）を反射させて使用者が多様な画像を獲得するようにすることができる。また、多数の反射部１００が群集を成すように構成されることができ、必要によってこのような群集を多数構成することもできる。
【００５６】
このような反射部１００は透明レンズ部２００の内部又は外部に取り付けられることができる。例えば、図１に示したように、反射部１００が透明レンズ部２００の内部に埋め込まれて（陷沒されて）取り付けられることができ、これとは違い、反射部１００が透明レンズ部２００の前面又は後面に付着されることができる。
【００５７】
透明レンズ部２００は可視光線を透過させることができる構成要素であり、使用者は透明レンズ部２００を通じて現実世界を見ることができる。したがって、使用者が現実世界をよく見ることができるように可視光線の透過率が１００％であることが好ましいが、使用者の目（眼球）の状態又は使おうとする用途によって可視光線の透過率を選択して透明レンズ部２００を構成することができる。
【００５８】
また、透明レンズ部２００は、紫外線（ＵＶ）の遮断が必要な場合、紫外線は遮断しながらも可視光線は透過させることができるように構成されることができ、使用者の目が悪くて視力矯正が必要な場合、視力矯正レンズを使うこともできる。
【００５９】
このような透明レンズ部２００は代表的にガラスから形成することができ、ガラス以外に多様な種類のプラスチックからも形成することができる。
【００６０】
また、本発明による反射レンズモジュールは硬質の素材から形成されるベース部（図示せず）に反射部１００が積層される形態に構成されることができる。
【００６１】
ベース部は反射部１００を積層するためにある程度の硬度を有する素材であれば十分である。ガラスを代表的な例として挙げることができるが、ガラス以外にも多様な種類の合成樹脂を使うことができる。反射部１００は、ディスプレイ部５０から出力される仮想画面を反射するために、反射率に優れたアルミニウム（Ａｌ）又は銀（Ａｇ）を使うことができ、その他にも多様な種類の金属、合金又は合成樹脂などを使うこともできる。また、反射部１００は必要によってその表面が曲面に形成されることができる。
【００６２】
また、本発明による反射レンズモジュールはフレーム部（図示せず）をさらに含んでなることができる。フレーム部は少なくとも一つの反射部を固定させる構成要素であり、フレーム部が反射部１００と直接的に連結されて反射部１００を固定させることができ、透明レンズ部２００をさらに含む場合、フレーム部が透明レンズ部２００を固定し、透明レンズ部２００に反射部１００を取り付ける方式でフレーム部が反射部１００を間接的に固定することもできる。
【００６３】
ここで、フレーム部は使用者が着用することができるメガネ形態又は多様な形態のヘッドマウント装置であってもよく、その他にも多様な形態を有することができる。
【００６４】
本発明を具体的な構成要素などの特定の事項と限定された実施例及び図面に基づいて説明したが、これは本発明のより全般的な理解を助けるために提供したものであるだけ、本発明が前記実施例に限定されるものではなく、本発明が属する技術分野で通常的な知識を有する者であればこのような記載から多様な修正及び変形を図ることができる。
【００６５】
したがって、本発明の思想は前述した実施例に限られて決まってはいけなく、後述する特許請求範囲だけではなくこの特許請求範囲と均等にあるいは等価的に変形された全てのものは本発明の思想の範疇に属すると言える。
【００６６】
（付記）
（付記１）
ディスプレイ部から出力される画像を反射させて使用者に提供する反射レンズモジュールであって、
前記ディスプレイ部から出力される画像を反射させ、サイズが４ｍｍ以下である少なくとも一つの反射部を含むことを特徴とする、
反射レンズモジュール。
【００６７】
（付記２）
前記少なくとも一つの反射部を固定させるフレーム部をさらに含んでなることを特徴とする、付記１に記載の反射レンズモジュール。
【００６８】
（付記３）
可視光線を透過させる透明レンズ部をさらに含み、
前記少なくとも一つの反射部が前記透明レンズ部の外部又は内部に取り付けられることを特徴とする、
付記１に記載の反射レンズモジュール。
【００６９】
（付記４）
前記少なくとも一つの反射部が前記透明レンズ部の内部に埋め込まれて取り付けられることを特徴とする、付記３に記載の反射レンズモジュール。
【００７０】
（付記５）
前記少なくとも一つの反射部が金属から形成されることを特徴とする、付記１に記載の反射レンズモジュール。
【００７１】
（付記６）
前記少なくとも一つの反射部が光学素子（Ｏｐｔｉｃａｌ  Ｅｌｅｍｅｎｔ）から形成されることを特徴とする、付記１に記載の反射レンズモジュール。
【００７２】
（付記７）
前記少なくとも一つの反射部は角部のない形態に形成されることを特徴とする、付記１に記載の反射レンズモジュール。
【００７３】
（付記８）
前記少なくとも一つの反射部が円形又は楕円形に形成されることを特徴とする、付記１に記載の反射レンズモジュール。
【００７４】
（付記９）
前記少なくとも一つの反射部の表面が曲面に形成されることを特徴とする、付記１に記載の反射レンズモジュール。
【図１】
2019515358.tif 000003
【図２】
2019515358.tif 000004
【図３】
2019515358.tif 000005
【図４】
2019515358.tif 000006
【図５】
2019515358.tif 000007
【図６】
2019515358.tif 000008
【国際調査報告】
2019515358.tif 000009
2019515358.tif 000010
2019515358.tif 000011
2019515358.tif 000012
2019515358.tif 000013
2019515358.tif 000014
2019515358.tif 000015
2019515358.tif 000016